(57)【要約】【課題】火災感知器が火災を検知しないことによるスプリンクラーヘッドからの放水停止を簡単に解除して緊急放水を可能とする。【解決手段】流水検知装置１６により流水が検知され、火災受信盤１からの火災信号が得られないことにより制御弁１８を閉状態に制御している状態で、火災信号を擬似的に出力させて制御弁１８を開制御させる緊急放水スイッチ３２を火災受信盤１に設ける。緊急放水スイッチ３２を火災受信盤１に設けている火災確定スイッチ３３で兼用させても良い。【選択図】      図１
2004290430.tif 000002
【特許請求の範囲】
【請求項１】
防護区画に設置された火災感知器を火災受信盤から引き出された感知器回線に接続して前記防護区画の火災を監視する火災報知設備と、
前記防護区画に配置されたスプリンクラーヘッドと、
前記スプリンクラーヘッドへの消火用水の供給と停止を制御する制御弁と、
前記スプリンクラーヘッドの作動による消火用水の流水を検知する流水検知装置と、
前記火災受信盤からの火災信号の状態に基づき前記制御弁の開閉制御を行い、消火用水の供給を開始・停止するスプリンクラー制御盤と、
を備えたスプリンクラー消火設備に於いて、
前記火災報知設備からの火災信号に関わらず前記制御弁を開制御させ維持する制御弁開放スイッチを設けたことを特徴とするスプリンクラー消火設備。
【請求項２】
請求項１記載のスプリンクラー消火設備に於いて、前記制御弁開放スイッチを前記火災受信盤に設けている火災確定スイッチで兼用させることを特徴とするスプリンクラー消火設備。
【請求項３】
請求項１記載のスプリンクラー消火設備に於いて、前記スプリンクラー制御盤は、前記制御弁開放スイッチの操作による制御弁を開放制御した際、所定時間経過後に制御弁を閉止制御することを特徴とするスプリンクラー消火設備。
【発明の詳細な説明】
【０００１】
【発明の属する技術分野】
本発明は、火災発生時にスプリンクラーヘッドから消火用水を放水するスプリンクラー消火設備に関し、特に集合住宅の各住戸を一つの防護区画として放水を制御するスプリンクラー消火設備に関する。
【０００２】
【従来の技術】
従来のスプリンクラー消火設備は、定常監視状態では給水本管に設けた制御弁を開状態としてスプリンクラーヘッドに消火用水を供給し、火災によるスプリンクラーヘッドの作動による放水で流れる流水を流水検知装置により検知された際に、火災感知器が火災を検知していれば制御弁の開状態を維持し、作動したスプリンクラーヘッドに消火用水の供給して放水させている。
【０００３】
一方、スプリンクラーヘッドが火災を検知して作動した時に、火災感知器がまだ火災を検知していなかった場合には、スプリンクラーヘッドの誤作動と判断して制御弁を閉状態に制御し、スプリンクラーヘッドからの放水を停止させて水損を軽減するようにしている。
【０００４】
【特許文献１】
特開２０００−２７９５４２号公報
【特許文献２】
特開２００２−０３５１５７号公報
【０００５】
【発明が解決しようとする課題】
しかしながら、このような従来のスプリンクラー消火設備にあっては、火災感知器の故障、火災感知器の設置場所が離れている等といった何らかの理由で火災感知器が火災を検知できなかった場合、スプリンクラーヘッドの誤作動と判断して制御弁を閉状態に制御して放水を停止させてしまう。
【０００６】
このためスプリンクラーヘッドの作動が実際の火災よる場合、火災を確認した住人は、火災感知器が発報して火災を検知するのを待つか、住戸外に設置されている緊急開放弁を手動で開状態に操作するしかなく、火災という非常時に住戸外の緊急開放弁の操作を一般の住人に要求することには無理があり、対応が十分にできない問題がある。
【０００７】
本発明は、火災感知器が火災を検知しないことによるスプリンクラーヘッドからの放水停止を簡単に解除して緊急放水を可能とするスプリンクラー消火設備を提供することを目的とする。
【０００８】
【課題を解決するための手段】
この目的を達成するため本発明は次のように構成する。まず本発明は、防護区画に設置された火災感知器を火災受信盤から引き出された感知器回線に接続して防護区画の火災を監視する火災報知設備と、防護区画に配置されたスプリンクラーヘッドと、スプリンクラーヘッドへの消火用水の供給と停止を制御する制御弁と、スプリンクラーヘッドの作動による消火用水の流水を検知する流水検知装置と、火災受信盤からの火災信号の状態に基づき制御弁の開閉制御を行い、消火用水の供給を開始・停止するスプリンクラー制御盤とを備えたスプリンクラー消火設備を対象とする。
【０００９】
このようなスプリンクラー消火設備につき本発明は、火災報知設備からの火災信号の有無に関わらず制御弁を開制御させ維持する制御弁開放スイッチを設けたことを特徴とする。ここで制御弁開放スイッチを火災受信盤に設けている火災確定スイッチで兼用させても良い。またスプリンクラー制御盤は、制御弁開放スイッチの操作による制御弁を開放制御した際、所定時間経過後に制御弁を閉止制御するようにしても良い。
【００１０】
このため火災感知器が火災を検知しないことで、火災により作動したスプリンクラーヘッドからの放水が停止されても、住人は住戸内に設置している火災受信盤に設けている緊急放水スイッチを操作すれば、火災感知器により火災が検知されたと同じ状態が擬似的に作り出され、制御弁が開状態に制御され、スプリンクラーヘッドからの放水が開始する。
【００１１】
【発明の実施の形態】
図１は本発明によるスプリンクラー消火設備の説明図である。図１において、この実施形態における本発明のスプリンクラー消火設備は集合住宅に設置した場合であり、住戸を１つの防護区画として火災監視を行うため住戸内には住戸受信機として機能する火災受信盤１を設け、火災受信盤１から中継器２を介して引き出された感知器回線３に火災感知器４を接続している。
【００１２】
また住戸を１つの防護区画として消火を行うため住戸内にはスプリンクラーヘッド６が設置されている。スプリンクラーヘッドは閉鎖型であり、火災による熱を受けた際に内部の金属を溶融させることなどによって自動的に開口して消火用水を散水する。
【００１３】
スプリンクラーヘッド６は分岐管７を介して、給水本管８に接続されており、給水本管８及び分岐管７を介してスプリンクラーヘッド６に消火用水が供給される。給水本管８の一旦は建物の地下室などに引き込まれ、消火ポンプ９を介して貯水槽１０に連結されている。
【００１４】
また給水本管８には圧力タンク１１が分岐接続され、圧力タンク１１によって給水本管８を介することにより館内圧力を一定値に保持している。圧力タンク１１には圧力スイッチ１２が設けられ、スプリンクラーヘッド６が作動して給水本管８の館内圧力が一定値以下に低下したことが圧力スイッチ１２で検出されると、ポンプ制御盤１３によりモータ１４を駆動して、消火ポンプ９を運転し、貯水槽１０の消火用水を給水本管８に継続して加圧供給する。
【００１５】
消火ポンプ９が運転されている際には、ポンプ運転信号がポンプ制御盤１３から住棟受信盤１５に出力される。また給水本管８のパターンは縦や屋上などの高所に設置された高架水槽１９に引き込まれ、高架水槽１９からの消火用水で給水本管８に消火用水を常時充満させている。
【００１６】
給水本管８から分岐された分岐管７には流水検知装置１６と制御弁１８が設けられる。制御弁８は分岐管７の開閉を行うことによりスプリンクラーヘッド６に対する消火用水の供給と停止を制御し、スプリンクラー制御盤５の制御により駆動される連動弁で構成される。
【００１７】
この制御弁１８は定常監視状態においては常に開放状態に維持されている。このため定常監視状態において消火用水は制御弁１８を介してスプリンクラーヘッド６に供給されており、スプリンクラー設備と同じ加圧消火用水の供給状態となっている。
【００１８】
制御弁１８にはバイパス弁１８ａが並列に接続されており、制御弁１８が制御不能となった場合にはバイパス弁１８ａの手動動作による開閉で消火用水の供給と停止ができる。バイパス弁１８ａは定常監視状態では閉じられている。またバイパス弁１８ａは制御弁１８や流水検知装置１６とともに住戸外の廊下に沿った機器収容ボックス内に設けられている。
【００１９】
流水検知装置１６はスプリンクラーヘッド６が火災による熱を受けて作動した時の消火用水の散水によって発生する流水で弁を開いてオンし、流水検知装置１６からオンとなった流水検知信号Ｅ１をスプリンクラー制御盤５に出力する。
【００２０】
分岐管７の末端側には末端試験弁２７とオリフィス２８が設けられる。末端試験弁２７を手動で開くことによりオリフィス２８で決定される量の消火用水を分岐管７に流し、流水検知装置１６を擬似的に作動させて消火ポンプ９の試験運転を行ったり、制御弁１８の開閉制御を確認するための点検制御を行うことができる。この末端試験弁２７はスプリンクラー制御盤５とともに住棟内に設置されている。
【００２１】
スプリンクラー制御盤５に対しては、火災受信盤１より火災信号Ｅ２と障害信号Ｅ５が移報信号として供給されている。火災受信盤１は火災感知器４で火災が検出された時に感知回線３を低インビーダスに短絡することにより流れる発報電流を受信し、火災受信盤１で火災警報を行い、図示しない戸外表示器に表示すると共に住棟受信盤１５より中継器２を経由して移報することで表示する。
【００２２】
更に火災受信盤１は感知回線３の断線を監視しており、断線を検出するとスプリンクラー制御盤５に対し障害信号Ｅ５を移報する。この断線監視のため火災受信盤１から引き出された感知回線３の末端に終端抵抗２５を接続している。
【００２３】
またスプリンクラー制御盤５には緊急停止スイッチ２３が設けられ、住戸内にスプリンクラー制御盤５において制御弁１８を閉状態に制御して放水を停止させる緊急停止ができるようにしている。
【００２４】
スプリンクラー制御盤５の制御回路２１は流水検知装置１６からの流水検知信号Ｅ１、火災受信盤１からの火災検知信号Ｅ２と、障害信号Ｅ５を入力しており、これに基づいて制御弁１８の制御を行う。
【００２５】
ここでスプリンクラー制御盤に設けている制御回路２１による制御弁１８の制御は基本的に次のようになる。
【００２６】
まず、定常監視状態においては制御弁１８を開状態とし、スプリンクラーヘッド６に消火用水を供給している。火災によるスプリンクラーヘッド６の作動で消火用水が散水されると、流水検知装置１６からの流水検知信号Ｅ１がオンとなって制御回路２１に供給され、このとき火災受信盤１からの火災検知信号Ｅ２または障害信号Ｅ５が得られていれば、制御弁１８の開状態を維持する。
【００２７】
一方、流水検知信号Ｅ１がオンとなった時に、火災受信盤１からの火災信号Ｅ２または障害信号Ｅ５のいずれもないときにはスプリンクラーヘッド６の誤動作が考えられるので制御弁１８を閉状態に制御して消火用水の供給を停止する。
【００２８】
このようなスプリンクラー制御盤５の制御回路２１の制御機能に対し、本発明にあっては火災受信盤１に制御弁１８を強制的に開放し維持するための緊急開放スイッチ３２を設け、流水検知装置１６からの流水検知信号Ｅ１がオンしているが、火災受信盤１からの火災信号Ｅ２がオンとならないことにより制御弁１８を閉状態に制御している状態で緊急開放スイッチ３２をオン操作すると、火災信号Ｅ２を擬似的に出力させて制御弁１８を開状態に制御するようにしている。
【００２９】
このため火災感知器４自体の故障や火災感知器４の設置場所が離れていて発報するまでの時間遅れが大きい場合、火災によりスプリンクラーヘッド６が作動して消火用水が放水され、火災信号Ｅ２が得られないことでスプリンクラー制御盤５が制御弁１８を閉状態に制御して放水停止となっても、火災を確認した住人が住戸内に設置している火災受信盤１の緊急開放スイッチ３２を操作すると、スプリンクラー制御盤５は閉状態にある制御弁１８を開状態に制御し、火災により作動したスプリンクラーヘッドの消火用水の放水を再開させることができる。
【００３０】
図２は図１の火災受信盤１の詳細をスプリンクラー制御盤５側と共に示した説明図である。図２において、火災受信盤１には感知回線３が引き出された発報受信部３４、受信制御用ＭＰＵ３６が設けられ、受信制御用ＭＰＵ３６に対しては火災信号移報リレー３８と障害信号移報リレー４０が設けられている。火災信号移報リレー３８は火災信号移報接点３８ａを持ち、これをスプリンクラー制御盤５の制御回路２１から引き出された移報信号線４１に接続している。
【００３１】
また障害信号移報リレー４０は障害信号移報接点４０ａを持ち、これをスプリンクラー制御盤５の制御回路２１から引き出された移報信号線４２に接続している。更にスプリンクラー制御盤５の制御回路２１から引き出された移報信号線４１に対しては、火災信号移報接点３８ａと並列に緊急放水スイッチ３１のスイッチ接点が接続されている。
【００３２】
このため火災感知器４が故障して火災を検知できない場合や、火災が発生してから火災感知器４が発報するまでの大きな時間遅れがあるような場合、住人が火災受信盤１に設けている緊急放水スイッチ３２をオン操作することで移報信号線４１によりスプリンクラー制御盤５の制御回路２１に対する火災信号Ｅ１をオンすることができる。
【００３３】
ここで図２の実施形態にあっては、火災受信盤１に専用の緊急放水スイッチ３２を設けているが、図１のように火災受信盤１には火災確定スイッチ３３が設けられている事から、緊急放水スイッチ３１を設ける側に火災確定スイッチ３３に緊急放水スイッチ３１としての機能を併用させても良い。
【００３４】
具体的には火災確定スイッチ３３は火災受信盤１で火災感知器４の発報信号を受信した際には所定時間発報時間が継続した後に住棟受信盤１５に対し、火災確定信号を出力しており、この発報信号の継続を時間が所定時間に達するまでの間に住人が火災確定スイッチ３３をオン操作すると、その時点で火災確定となっている火災確定信号が住棟受信盤１５に出力されて警報表示が行われる。
【００３５】
このような火災確定信号機能を備えた火災確定スイッチ３３のスイッチ接点をこの回路のスイッチ接点とし、１つのスイッチ接点は火災確定用に使用し、残りの１つのスイッチ接点は図２の火災受信盤に示すように緊急放水スイッチ３２に変わるスイッチ接点として移報信号線４１に対する火災信号移報接点３８ａと並列に接続すれば良い。
【００３６】
図３は図１，図２のスプリンクラー制御盤による本発明の制御処理を示したフローチャートである。尚、図３のフローチャートにあっては流水検知信号、火災信号、障害信号、圧力検知信号、断線検知信号の有無をチェックして制御を行っているが、この場合の信号有りは信号のオンを意味し、また信号無しは信号のオフを意味する。
【００３７】
図３においてスプリンクラー制御盤５はステップＳ１で流水検知装置から流水検知信号Ｅ１の有無をチェックしている。定常監視状態では流水検知信号Ｅ１は無いことから、ステップＳ２で制御弁１８の開状態を維持する。
【００３８】
住戸内で火災が発生した場合の制御は最初に火災信号Ｅ２が得られ、続いて流水検知信号Ｅ１が得られる場合と、逆に最初に流水検知信号Ｅ１が得られ、続いて火災信号Ｅ２が得られる場合の２つのケースがある。まず前者の最初に流水検知信号Ｅ１が得られ、次に火災信号Ｅ２が得られる場合について説明する。
【００３９】
ステップＳ１で流水検知信号が無い状態では、ステップＳ２で制御弁１８の開状態を維持し、ステップＳ３で緊急停止スイッチ３０がオフであることから、再びステップＳ１に戻りこの処理を繰り返している。
【００４０】
この状態で火災によりスプリンクラーヘッド６が作動して消火用水が散水されると、ステップＳ１で流水検知信号有りが判別され、ステップＳ５でこのとき火災信号が有ることからステップＳ２に進み、制御弁１８を開状態に維持し、ステップＳ１，Ｓ５，Ｓ２，Ｓ３となる処理を繰り返している。
【００４１】
一方、何らかの原因によりスプリンクラーヘッド６が火災により作動して流水検知信号が得られても火災信号が得られていない場合には、ステップＳ１，Ｓ５を介してステップＳ６に進み、障害信号の出力が有るか否かチェックする。このときもし感知器回線３の断線による障害検出により障害信号が得られていれば、ステップＳ２に進むことで制御弁１８が開状態に維持される。
【００４２】
ステップＳ６で障害信号が無かった場合にはステップＳ４に進み、火災によらずにスプリンクラーヘッド６が誤作動したものと判断して制御弁１８を閉状態に制御する。
【００４３】
しかしながら、実際には感知回線３の断線及び火災受信盤１以外の故障により火災感知器３が火災発報していなかった場合には、火災であるに係らずステップＳ４における制御弁１８の閉状態への制御によりスプリンクラーヘッド６からの放水が停止されてしまう。
【００４４】
このような状況に対し本発明では住戸の住人が火災受信盤１に設けている緊急放水スイッチ３２を押すことでスプリンクラー制御盤５に対し擬似的に火災信号Ｅ１の移報が行われ、ステップＳ５で火災信号有りが判別され、ステップＳ４で一度閉状態に制御された制御弁１８がステップＳ２で再び開状態に制御され、これによって火災により作動したスプリンクラーヘッド６からの消火用水の散水を再開させることができる。
【００４５】
火災信号Ｅ１が正常に得られないことにより火災時に閉状態に制御された制御弁１８の開状態の制御は、本発明により新たに火災受信盤１に設けた緊急放水スイッチ３２を操作する以外に制御弁１８に並列に設けているバイパス弁を開くことで放水を再開できるが、バイパス弁１８ａは制御弁１８、流水検知装置１６更にはスプリンクラー制御盤５と共に住戸内、たとえば住戸の玄関ドアの近くに廊下に沿ったボックスに設置されており、住人が操作することは通常は無理である。
【００４６】
本発明にあってはこのようなバイパス弁１８ａを操作することなく住戸内に設けている火災受信盤１の緊急放水スイッチ３２の操作のみで簡単に火災時に放水停止となったスプリンクラーヘッドからの散水を再開させることができる。
【００４７】
制御弁１８の開状態への制御により作動したスプリンクラーヘッド６からの散水により火災に対し消火が確認されると、スプリンクラー制御盤５に設けている緊急停止スイッチ３０を押すことで散水を停止することができる。この緊急停止スイッチ３０のオンはステップＳ４で判別され、ステップＳ５に進み制御弁１８を閉状態に制御してスプリンクラーヘッド６からの散水を停止する。
【００４８】
図４は本発明の他の実施形態であり、予作動式スプリンクラーシステムに本発明を適用したことを特徴とする。
【００４９】
図４において、住戸毎に設置された予作動式流水検知装置（予定作動弁）６０は、給水本管８からの分岐管７に設置される。予作動式流水検知装置６０の本体９１には水平方向に配置された分岐管７の接続を受ける一次配管５９が挿入され、その端部は開口している。本体９１の内部は、弁体であるクラッパー９２によって呼水室９３と二次側室９４に区分され、クラッパー９２は一次配管５９の開口部を開閉する。
【００５０】
呼水室９３には弾性体であるスプリング９５が収納され、スプリング９５はクラッパー９２を開口部側に押圧する。一次配管５９には消火用の加圧水が充満され、また、呼水室９３にも同圧の加圧水が充満され、クラッパー９２の前後に同圧の加圧水が加わり、クラッパー９２の前後の面積差（一次側１：呼水室側２）とスプリング９５の力でクラッパー９２は閉鎖状態に保持される。
【００５１】
本体９１の垂直方向には逆止弁９６が接続され、逆止弁９６にはクラッパー９７が設けられる。逆止弁９６にはスプリンクラーヘッド６が接続される分岐管７が接続され、逆止弁９６と分岐管７の接続部には仕切弁９８が設けられる。逆止弁９６のクラッパー９７より上部側には圧縮空気を供給する空気配管７１が接続され、クラッパー９７の二次側および分岐管８０には圧縮空気が充満され、また、本体９１の二次側室９４は大気圧であるため、クラッパー９７は閉鎖状態に保持される。
【００５２】
空気配管７１には、制御弁７５、オリフィス機構付の流量調整弁７６、逆止弁７７が設けられる。通常時、流量調整弁７６は閉状態であるが弁体にはφ２程度の小さな径の穴が開いており、その穴から圧縮空気が供給される。復旧時には、この流量調整弁７６を開けることにより素早く圧縮空気を配管内に供給する。排水配管９９は逆止弁９６に接続され、排水配管９９には、圧力計１００、圧力スイッチ１０１、およびシステム排水弁１０２が設けられる。
【００５３】
圧力スイッチ１０１は逆止弁９６の二次側および分岐管７内に充填された圧縮空気の減圧、例えばスプリンクラーヘッド６の作動や配管の破損による圧縮空気の漏れを検出し、圧力低下信号Ｅ６をスプリンクラー制御盤（予作動弁制御盤）８７に送る。
【００５４】
システム排水弁１０２として親子弁を用いるときは、スプリンクラーヘッド８１に加圧水を流さずに、流水の試験を行うことができるようにしている。すなわち、仕切弁９８を閉じ、火災感知器４を作動させ、予作動式流水検知装置６０を作動させ、図１の消火ポンプ９を起動して、スプリンクラーヘッド６一個作動分の流量を流して、流水の試験を行う。
【００５５】
呼水配管１０３の一端は呼水室９３に接続され、他端は一次配管５９に接続されている。一次配管５９の加圧水は、常時開状態の呼水弁１０４、ストレーナ１０５、逆止弁１０６、オリフィス１０７、圧力計１０８を介して呼水室９３に供給される。
【００５６】
呼水配管１０３の呼水室９３側には起動用配管１０９が接続され、起動用配管１０９を予作動弁制御盤８７からの開閉信号により開閉する電動弁（起動弁）１１０を介して排水配管に接続される。また、起動用配管１０９には、電動弁１１０と並列して手動開放弁１１１が設けられている。
【００５７】
オリフィス１０７の開度は、呼水配管１０３から呼水室９３への流入量よりも電動弁１１０を開放したときの起動用配管１０９の排水量を大きくなるように設定される。したがって、電動弁１１０が開放されると、呼水室９３の圧力が低下し、一次配管５９の加圧水の圧力がスプリング９５の力を上回るときに、クラッパー９２がただちに開く。
【００５８】
また、電動弁１１０が閉鎖されると、呼水弁１０４、オリフィス１０７からの加圧水が呼水室９３に徐々に蓄圧され、一次配管５９の加圧水と同圧になり、クラッパー９２の前後の面積差およびスプリング９５の力により、クラッパー９２は一次配管５９の開口部をゆっくり閉じる。逆止弁１０６は、呼水室９３への加圧水の流れのみを設定し、その逆流を防止する。圧力計１０８は呼水配管１０３を流れる加圧水の圧力を計測する。
【００５９】
流水警報配管１１２の一端は本体９１の二次側室９４に接続され、他端は排水配管に接続される。流水警報配管１１２には補助排水弁１１３、ストレーナ１１４、逆止弁１１５、圧力スイッチ１１６およびオリフィス１１７が設けられる。圧力スイッチ１１６はクラッパー９２が開いたとき、流水警報配管１１２内に流入する加圧水の圧力が所定圧力になったことを検知する。
【００６０】
すなわち、圧力スイッチ１１６は流水検知機能を有し、流水警報信号を予作動弁制御盤８７に出力する。オリフィス１１７は、クラッパー９２の開放時に圧力スイッチ１１６が瞬時にオンとなるのに十分な流量を供給することができ、かつ、クラッパー９２の閉鎖時に瞬時にオフとなるのに十分な排水量となるような開度に設定される。
【００６１】
流水警報配管１１２と呼水配管１０３を接続するテスト配管１１８にはアラームテスト弁１１９が設けられ、アラームテスト弁１１９を開くことにより、圧力スイッチ１１６のテストを行うようにしている。
【００６２】
スプリンクラー制御盤８７は火災感知器４の発報に基づく火災受信盤１からの火災信号Ｅ２と圧力スイッチ１０１からの圧力低下信号Ｅ６の両信号に基づいて電動弁１１０に開放信号Ｅ７を出力するようにしている。
【００６３】
このようなスプリンクラー制御盤８７の制御機能に対し、本発明にあっては火災受信盤１に電動弁１１０を強制的に開放し維持するための緊急開放スイッチ３２を設け、電動弁１１０を閉状態に制御している状態で緊急開放スイッチ３２をオン操作すると、火災信号Ｅ２を擬似的に出力させ、圧力低下検出信号Ｅ６が得られていることを条件に、電動弁１１０を開状態に制御するようにしている。
【００６４】
このため火災感知器４自体の故障や火災感知器４の設置場所が離れていて発報するまでの時間遅れが大きい場合、火災によりスプリンクラーヘッド６が作動して消火用水が放水されて圧力低下検出信号Ｅ６が得られても、火災信号Ｅ２が得られないことでスプリンクラー制御盤８７が電動弁１１０を閉状態とし、予作動式流検知装置６０の本体９１のクラッパー９２を閉状態として放水停止となっていても、火災を確認した住人が住戸内に設置している火災受信盤１の緊急開放スイッチ３２を操作すると、スプリンクラー制御盤８７は閉状態にある電動弁１１０を開状態に制御し、本体９１のクラッパー９２を開いて火災により作動したスプリンクラーヘッド６から消火用水を放水させることができる。
【００６５】
更に本発明の他の実施形態として、図１と同じ設備構成をとるが、制御弁１８が常時閉となっているスプリンクラーシステムの場合、例えば火災受信盤１に設けた設定スイッチの設定により制御弁１８を開放制御することで、分岐管７に消火水を充満させておき、スプリンクラーヘッド７が作動すれば直ぐに放水するような状態を設定するようにしても良い。
【００６６】
尚、上記の実施形態は集合住宅の各住戸を防護区画とするスプリンクラー消火設備を例にとるものであったが、本発明はこれに限定されず火災受信盤やスプリンクラー制御盤を監視室などに集中的に設けて構成されたビル施設に適用することもできる。
【００６７】
またスプリンクラー制御設備の全体的な構成としてはスプリンクラーヘッド６に対する配管に流水検知装置１６と制御弁１８を設けていればよく、それ以外の構成は異なる構成であっても良い。例えば流水検知装置１６と制御弁１８の位置は消火ポンプ１０側を制御弁１８とし、スプリンクラーヘッド６側に流水検知装置１６を設けるようにしても良い。
【００６８】
また制御弁は電動弁に限らず電磁弁など配管路の開閉をできる弁構造のものであれば良い。また本発明のその目的と利点を損なわない適宜の変形を含み、更に上記の実施形態に示した数値による限定は受けない。
【００６９】
更にスプリンクラー制御盤５は各住戸ごとに設けなくてもよく、複数の防護区画をひとつのグループにまとめて制御を行うようにしても良い。
【００７０】
また、火災受信盤には制御弁を開放する緊急放水スイッチだけでなく、放水停止スイッチを設けても良く、スイッチ３２のオン／オフで行っても良い。放水と停止用のスイッチは１つずつのスイッチで行っても良い。また、火災受信盤からスプリンクラー制御盤に送る緊急放水用の信号は火災信号に限らず緊急放水専用の信号であっても良い。
【００７１】
また、本実施形態では火災受信盤に緊急放水スイッチを設けているが、住棟受信機にも設けても良く，火災信号を送出した住戸に対応するスプリンクラー制御盤に緊急放水信号を送って制御弁の開制御を行っても良い。
【００７２】
また、スプリンクラー制御盤にも放水スイッチを設けても良い。住戸外の所定の場所に別途設けても良い。このようにすれば、火災住戸の外から緊急放水を行うことができ、住戸が留守の場合や、火災の炎で住戸内の火災受信盤に行けないときも，外から放水制御を行うことができる。
【００７３】
また、本実施形態において緊急放水スイッチの操作で閉止状態にある制御弁を開放制御した場合には、いたずら等によるスイッチ操作の場合もあるので、開放制御してから所定時間経過後に制御弁を閉止制御して、放水を停止させても良い。特に第２、第３の実施形態の制御弁が常時閉止状態にあるスプリンクラー設備においては、いたずらで緊急放水スイッチを操作されると、制御弁が開放状態となり水損防止の機能が無効とされてしまう。そこで開放制御してから所定時間経過後に閉止制御して初期状態に戻すことで、いたずらによる水損防止機能の停止を防止することができる。
【００７４】
【発明の効果】
以上説明してきたように本発明のスプリンクラー消火設備によれば、火災感知器が故障していたり、火災感知器が正常であっても火災場所が離れていて火災発報までの時間遅れがあるような場合、火災により作動したスプリンクラーヘッドからの放水が停止されても、住人が住戸に設置している緊急放水スイッチを押すという簡単な操作でスプリンクラーヘッドからの散水を開始することができ、スプリンクラー消火設備の信頼性と操作性を大幅に向上することができる。
【図面の簡単な説明】
【図１】本発明の設備構成の説明図
【図２】図１の火災受信盤の詳細をスプリンクラー制御盤と共に示した説明図
【図３】図１のスプリンクラー制御盤による本発明の制御処理を示したフローチャート
【図４】予作動式スプリンクラーシステムに本発明を適用した実施形態の説明図
【符号の説明】
１：火災受信盤（住戸受信機）
２：中継器
３：感知器回線
４：火災感知器
５，８７：スプリンクラー制御盤
６：閉鎖型スプリンクラーヘッド
７：分岐管
８：給水本管
９：消火ポンプ
１０：水源水槽
１１：空気タンク
１２：圧力スイッチ
１３：ポンプ制御盤
１４：モータ
１５：住棟受信盤
１６：流水検知装置
１８：制御弁
１９：高架水槽
２０：圧力スイッチ
２１：制御回路
２５：終端抵抗
２６：擬似障害スイッチ
２７：末端試験弁
２８：オリフィス
３０：緊急停止スイッチ
３２：緊急放水スイッチ
３３：火災確定スイッチ
３４：発報受信部
３６：受信制御用ＭＰＵ
３８：火災信号移報リレー
３８ａ：火災信号移報接点
４０：障害信号移報リレー
４０ａ：障害信号移報接点
１１０：電動弁
【図１】
2004290430.tif 000003
【図２】
2004290430.tif 000004
【図３】
2004290430.tif 000005
【図４】
2004290430.tif 000006